(57)【要約】【課題】画面サイズが限られる場合であっても、画像とテキストとを見やすい態様で同時に表示する。【解決手段】メール送受信部１０２により電子メールが受信されると、電子メールに含まれるテキスト情報及び画像情報が互いに関連付けられた状態でメール記憶部１０３に記憶される。テキスト情報の情報量と画像情報の情報量とに基づいて、テキスト表示部位１と画像表示との連動態様を決定する。そして、ディスプレイ１０７において、決定された連動態様に基づき、テキスト情報に基づくテキスト表示と、画像情報に基づく画像表示とを、同一表示画面中の別領域に分けて表示する。【選択図】図８
2011154427.tif 000002
【特許請求の範囲】
【請求項１】
テキスト情報と画像情報とを対応付けして送受信可能な情報送受手段と、
前記情報送受手段により受信された前記テキスト情報及び前記画像情報を、互いに関連付けて記憶する記憶手段と、
前記テキスト情報に基づくテキスト表示と、前記画像情報に基づく画像表示とを、同一表示画面中の別領域に分けて表示可能な表示手段と、
前記テキスト情報に対応した全テキストのうち、前記表示手段において前記テキスト表示として表示されるテキスト表示部位を、操作者がスクロール操作可能な操作手段と、
前記記憶手段に互いに関連付けて記憶された、前記テキスト情報及び前記画像情報それぞれの情報量に基づき、前記同一表示画面中における、前記テキスト表示部位と前記画像表示との連動態様を決定する第１決定手段と
を有することを特徴とする表示端末装置。
【請求項２】
請求項１記載の表示端末装置において、
前記第１決定手段は、
前記記憶手段に互いに関連付けて記憶された、前記テキスト情報及び前記画像情報それぞれの情報量に基づき、前記同一表示画面中における、前記テキスト表示が行われるテキスト領域と前記画像表示が行われる画像領域とを決定する領域決定手段を含む
ことを特徴とする表示端末装置。
【請求項３】
請求項２記載の表示端末装置において、
前記領域決定手段は、
前記テキスト情報に含まれるテキスト文字数又は行数の、前記画像情報に含まれる画像数に対する相対比、及び前記画像情報に含まれる画像サイズのうち、少なくとも前記相対比に応じて、前記テキスト領域及び前記画像領域の大きさと位置を決定する
ことを特徴とする表示端末装置。
【請求項４】
請求項３記載の表示端末装置において、
前記領域決定手段は、
前記相対比に関して予め定められた第１しきい値に基づき、前記相対比が前記第１しきい値より大きい場合における１つの表示画面における前記テキスト領域の大きさが、前記相対比が前記第１しきい値以下である場合における１つの表示画面における前記テキスト領域の大きさよりも拡大されるように、前記テキスト領域及び前記画像領域を決定する
ことを特徴とする表示端末装置。
【請求項５】
請求項２乃至請求項４のいずれか１項記載の表示端末装置において、
前記第１決定手段は、
前記操作手段からの前記スクロール操作により前記テキスト領域に表示される前記テキスト表示部位に対応付けて、前記画像領域で表示する前記画像表示の切替態様を決定する切替決定手段を含む
ことを特徴とする表示端末装置。
【請求項６】
請求項５記載の表示端末装置において、
前記切替決定手段は、
前記テキスト情報に含まれるテキスト文字数又は行数の、前記画像情報に含まれる画像数に対する相対比に応じて、前記切替態様を決定する
ことを特徴とする表示端末装置。
【請求項７】
請求項６記載の表示端末装置において、
前記切替決定手段は、
前記相対比に関して予め定められた第２しきい値に基づき、前記相対比が前記第２しきい値より小さい場合には、切り替えられた１つの表示画面の前記画像領域に複数の前記画像を表示し、前記相対比が前記第２しきい値以上である場合には、切り替えられた１つの表示画面の前記画像領域に１つの前記画像を表示するように、前記切替態様を決定する
ことを特徴とする表示端末装置。
【請求項８】
請求項４乃至請求項７のいずれか１項記載の表示端末装置において、
前記情報送受手段により受信された前記テキスト情報に、前記画像情報のファイル名が含まれるかどうかを判定する第１判定手段を有し、
前記切替決定手段は、
前記第１判定手段により前記ファイル名が含まれていると判定された場合には、前記テキスト情報において前記ファイル名が含まれていた位置と前記テキスト表示部位との関係に基づき、前記画像領域で表示する前記画像表示の切替態様を決定する
ことを特徴とする表示端末装置。
【請求項９】
請求項２又は請求項３記載の表示端末装置において、
前記第１決定手段は、
前記相対比に関して予め定められた第３しきい値に基づき、前記相対比が前記第３しきい値より小さい場合には、前記テキスト表示部位と前記画像表示との連動を行わず、前記テキスト領域において固定的な前記テキスト表示を行うと共に、前記画像領域において所定の時間間隔で前記画像表示を切り替えるようにする
ことを特徴とする表示端末装置。
【請求項１０】
請求項１乃至請求項９のいずれか１項記載の表示端末装置において、
前記情報送受手段により受信された前記テキスト情報に、前記画像表示のレイアウト情報が含まれるかどうかを判定する第２判定手段と、
前記操作手段からの前記スクロール操作により前記テキスト領域に表示される前記テキスト表示部位と、前記レイアウト情報に含まれる前記画像表示の位置指定情報との関係に基づき、前記画像領域で表示する前記画像表示の切替態様を決定する第２決定手段と
を有し、
前記第２判定手段により前記画像表示のレイアウト情報が含まれると判定された場合には、前記第２決定手段が前記画像表示の切り替え態様を決定し、前記第２判定手段により前記画像表示のレイアウト情報が含まれていないと判定された場合には、前記第１決定手段が前記テキスト表示部位と前記画像表示との前記連動態様を決定する
ことを特徴とする表示端末装置。
【請求項１１】
請求項１０記載の表示端末装置において、
前記第２判定手段により前記画像表示のレイアウト情報が含まれると判定された場合に、前記第２決定手段による前記テキスト表示部位と前記画像表示との連動を行う連動モードと、前記第２決定手段による前記テキスト表示部位と前記画像表示との連動を行わない非連動モードとを、切替可能なモード切替手段を有し、
前記表示手段は、
前記モード切替手段で前記連動モードに切り替えられている場合には、前記テキスト表示と前記画像表示とを、同一表示画面中の別領域に分けて表示し、
前記モード切替手段で前記非連動モードに切り替えられている場合には、前記テキスト表示と前記画像表示とを、同一表示画面中の同一領域を共有するように表示する
ことを特徴とする表示端末装置。
【請求項１２】
通信機能を備えた表示端末装置が互いに対応付けられたテキスト情報及び画像情報を受信して表示するための表示処理方法であって、
受信された前記テキスト情報及び前記画像情報を互いに関連付けて記憶する記憶手順と、
前記記憶手順で互いに関連付けて記憶された、前記テキスト情報及び前記画像情報それぞれの情報量に基づき、前記テキスト情報に対応した全テキストのうち１つの表示画面でテキスト表示として表示されるテキスト表示部位と前記画像情報に基づく画像表示との連動態様を決定する決定手順と、
前記決定手順で決定された前記連動態様により、前記テキスト表示と前記画像表示とを、同一表示画面中の別領域に分けて表示する表示手順と
を有することを特徴とする表示処理方法。
【請求項１３】
受信されたテキスト情報及び画像情報を互いに関連付けて記憶する記憶手順と、
前記記憶手順で互いに関連付けて記憶された、前記テキスト情報及び前記画像情報それぞれの情報量に基づき、前記テキスト情報に対応した全テキストのうち１つの表示画面でテキスト表示として表示されるテキスト表示部位と前記画像情報に基づく画像表示との連動態様を決定する決定手順と、
前記決定手順で決定された前記連動態様により、前記テキスト表示と前記画像表示とを、同一表示画面中の別領域に分けて表示する表示手順と
を、通信機能を備えた表示処理端末に備えられた演算手段に実行させるための、表示処理プログラム。
【発明の詳細な説明】
【技術分野】
【０００１】
本発明は、互いに対応付けられたテキスト情報と画像情報とを受信して表示するための表示端末装置、表示処理方法、表示処理プログラムに関する。
【背景技術】
【０００２】
近年、互いに対応付けられたテキスト情報と画像情報の一例として、写真等の画像情報を添付した電子メールの送受信が頻繁に行われる。このような電子メールを受信して表示する場合、その表示端末装置の画面サイズによって表示手法が異なる。例えば、表示端末装置がパソコン等である場合、比較的画面サイズが大きいため、電子メール本文であるテキスト情報の表示を行うテキスト領域と、画像表示を行う画像領域とをそれぞれ別領域に分けて表示することが可能である。一方、表示端末装置が、例えばＰＤＡ（Ｐｅｒｓｏｎａｌ  Ｄｉｇｉｔａｌ  Ａｓｓｉｓｔａｎｔｓ）や携帯電話機等である場合、画面サイズが限られているため、テキストの文字数や画像数によってはテキスト領域と画像領域とを一度に表示することが困難な場合がある。この場合、テキスト領域の下に画像領域を配置し、画面をスクロールさせてテキストと画像を別々に閲覧する手法がとられていた。
【０００３】
しかしながら、上記手法では、テキストと画像を同時に見ることができないため、画像情報が添付された電子メールを一目で確認することができず不便であるという問題があった。
【０００４】
そこで、従来、画像情報を添付した電子メールを受信した場合に、画像を背景としてその上にテキストを重ねて表示する表示端末装置が知られている（例えば、特許文献１参照）。
【先行技術文献】
【特許文献】
【０００５】
【特許文献１】特開２００２−１４０２６５号公報
【発明の概要】
【発明が解決しようとする課題】
【０００６】
上記従来技術では、テキストと画像を同時に見ることは可能であるが、画像を背景としてその上にテキストを重ねて表示するため、画像及びテキストのいずれもが見にくくなるという問題があった。
【０００７】
本発明の目的は、画面サイズが限られる場合であっても、画像とテキストとを見やすい態様で同時に表示することができる表示端末装置、表示処理方法、表示処理プログラムを提供することにある。
【課題を解決するための手段】
【０００８】
上記目的を達成するために、第１発明の表示端末装置は、テキスト情報と画像情報とを対応付けして送受信可能な情報送受手段と、前記情報送受手段により受信された前記テキスト情報及び前記画像情報を、互いに関連付けて記憶する記憶手段と、前記テキスト情報に基づくテキスト表示と、前記画像情報に基づく画像表示とを、同一表示画面中の別領域に分けて表示可能な表示手段と、前記テキスト情報に対応した全テキストのうち、前記表示手段において前記テキスト表示として表示されるテキスト表示部位を、操作者がスクロール操作可能な操作手段と、前記記憶手段に互いに関連付けて記憶された、前記テキスト情報及び前記画像情報それぞれの情報量に基づき、前記同一表示画面中における、前記テキスト表示部位と前記画像表示との連動態様を決定する第１決定手段とを有することを特徴とする。
【０００９】
本願第１発明の表示端末装置においては、情報送受手段により互いに対応付けられたテキスト情報及び画像情報が受信されると、テキスト情報及び画像情報が互いに関連付けられた状態で記憶手段に記憶される。第１決定手段は、テキスト情報の情報量と画像情報の情報量とに基づいて、テキスト表示部位と画像表示との連動態様を決定する。そして、表示手段は、上記決定された連動態様に基づき、テキスト情報に基づくテキスト表示と、画像情報に基づく画像表示とを、同一表示画面中の別領域に分けて表示する。
【００１０】
以上のようにして、本願第１発明では、テキスト表示と画像表示とを同一表示画面の別領域にそれぞれ表示させることにより、画像とテキストとを重ねて表示する場合に比べ、画像とテキストとを見やすい態様で同時に表示することができる。その際、操作者のスクロール操作により移動するテキスト表示部位と画像表示とが連動可能であることにより、画面サイズが限られる場合であっても、テキストと画像とをわかりやすい関連付けで同時に表示することができる。
【００１１】
第２発明の表示端末装置は、上記第１発明において、前記第１決定手段は、前記記憶手段に互いに関連付けて記憶された、前記テキスト情報及び前記画像情報それぞれの情報量に基づき、前記同一表示画面中における、前記テキスト表示が行われるテキスト領域と前記画像表示が行われる画像領域とを決定する領域決定手段を含むことを特徴とする。
【００１２】
これにより、テキスト情報の情報量が多い場合には、より広いテキスト領域で表示可能である。
【００１３】
第３発明の表示端末装置は、上記第２発明において、前記領域決定手段は、前記テキスト情報に含まれるテキスト文字数又は行数の、前記画像情報に含まれる画像数に対する相対比、及び前記画像情報に含まれる画像サイズのうち、少なくとも前記相対比に応じて、前記テキスト領域及び前記画像領域の大きさと位置を決定することを特徴とする。
【００１４】
これにより、テキストの文字数や行数が比較的多い場合に、より広いテキスト領域で表示させることができる。また、画像サイズが比較的大きい場合には、より広い画像領域で表示させることができる。
【００１５】
第４発明の表示端末装置は、上記第３発明において、前記領域決定手段は、前記相対比に関して予め定められた第１しきい値に基づき、前記相対比が前記第１しきい値より大きい場合における１つの表示画面における前記テキスト領域の大きさが、前記相対比が前記第１しきい値以下である場合における１つの表示画面における前記テキスト領域の大きさよりも拡大されるように、前記テキスト領域及び前記画像領域を決定することを特徴とする。
【００１６】
これにより、第１しきい値を基準にして、テキストの文字数や行数が比較的多い場合には、それ以外の場合よりもテキスト領域を拡大して表示することができる。この結果、テキストや画像の視認性を向上できると共に、テキスト全部を見るのに必要な操作者のスクロール回数を低減し操作性を向上することもできる。
【００１７】
第５発明の表示端末装置は、上記第２乃至第４発明のいずれかにおいて、前記第１決定手段は、前記操作手段からの前記スクロール操作により前記テキスト領域に表示される前記テキスト表示部位に対応付けて、前記画像領域で表示する前記画像表示の切替態様を決定する切替決定手段を含むことを特徴とする。
【００１８】
これにより、操作者のスクロール操作によりテキスト表示部位が移動するのに連動して、画像表示が順次切り替えられる。この結果、画面サイズが限られる場合であっても、テキストと画像とをわかりやすい関連付けで同時に表示することができる。
【００１９】
第６発明の表示端末装置は、上記第５発明において、前記切替決定手段は、前記テキスト情報に含まれるテキスト文字数又は行数の、前記画像情報に含まれる画像数に対する相対比に応じて、前記切替態様を決定することを特徴とする。
【００２０】
これにより、画像数に対してテキスト文字や行の量が相対的に多い場合には、スクロール操作で切り替えられる１つの画像領域に表示する画像数を少なくすることができる。画像数に対してテキスト文字や行の量が相対的に少ない場合には、スクロール操作で切り替えられる１つの画像領域に表示する画像数を多くすることができる。この結果、いずれの場合でも、テキストと画像とを確実にわかりやすい関連付けで同時に表示することができる。
【００２１】
第７発明の表示端末装置は、上記第６発明において、前記切替決定手段は、前記相対比に関して予め定められた第２しきい値に基づき、前記相対比が前記第２しきい値より小さい場合には、切り替えられた１つの表示画面の前記画像領域に複数の前記画像を表示し、前記相対比が前記第２しきい値以上である場合には、切り替えられた１つの表示画面の前記画像領域に１つの前記画像を表示するように、前記切替態様を決定することを特徴とする。
【００２２】
これにより、第２しきい値を基準にして、テキスト文字や文章の量が相対的に多い場合には、スクロール操作で切り替えられる１つの画像領域に１つの画像のみを表示する。逆に、第２しきい値を基準にして、テキスト文字や文章の量が相対的に少ない場合には、スクロール操作で切り替えられる１つの画像領域に複数の画像を表示することができる。この結果、いずれの場合でも、テキストと画像とを確実にわかりやすい関連付けで同時に表示することができる。
【００２３】
第８発明の表示端末装置は、上記第４乃至第７発明のいずれかにおいて、前記情報送受手段により受信された前記テキスト情報に、前記画像情報のファイル名が含まれるかどうかを判定する第１判定手段を有し、前記切替決定手段は、前記第１判定手段により前記ファイル名が含まれていると判定された場合には、前記テキスト情報において前記ファイル名が含まれていた位置と前記テキスト表示部位との関係に基づき、前記画像領域で表示する前記画像表示の切替態様を決定することを特徴とする。
【００２４】
これにより、文章内でファイル名を記載して画像を引用している場合に、文章のその引用部分と引用された当該画像とを、わかりやすく関連付けて同時に表示することができる。
【００２５】
第９発明の表示端末装置は、上記第２又は第３発明において、前記第１決定手段は、前記相対比に関して予め定められた第３しきい値に基づき、前記相対比が前記第３しきい値より小さい場合には、前記テキスト表示部位と前記画像表示との連動を行わず、前記テキスト領域において固定的な前記テキスト表示を行うと共に、前記画像領域において所定の時間間隔で前記画像表示を切り替えるようにすることを特徴とする。
【００２６】
本願第９発明においては、第３しきい値を基準にして、テキスト文字や文章の量が比較的少なく画像数が多い場合には、テキスト領域で固定的なテキスト表示を行いつつ、画像領域では自動的に順次切り替えつつ画像表示を行う。この結果、文章が短い場合であっても、どの画像表示に対しても必ずテキスト表示が同時に実行されるので、操作者はどの画像を見るときでも常に文章を参照することができる。
【００２７】
第１０発明の表示端末装置は、上記第１乃至第９発明のいずれかにおいて、前記情報送受手段により受信された前記テキスト情報に、前記画像表示のレイアウト情報が含まれるかどうかを判定する第２判定手段と、前記操作手段からの前記スクロール操作により前記テキスト領域に表示される前記テキスト表示部位と、前記レイアウト情報に含まれる前記画像表示の位置指定情報との関係に基づき、前記画像領域で表示する前記画像表示の切替態様を決定する第２決定手段とを有し、前記第２判定手段により前記画像表示のレイアウト情報が含まれると判定された場合には、前記第２決定手段が前記画像表示の切り替え態様を決定し、前記第２判定手段により前記画像表示のレイアウト情報が含まれていないと判定された場合には、前記第１決定手段が前記テキスト表示部位と前記画像表示との前記連動態様を決定することを特徴とする。
【００２８】
これにより、既存のデータ形式において文章内容に対応付ける形で画像表示位置が指定されている場合に、その対応付けに準じるタイミングで、文章と画像とをわかりやすく同時に表示することができる。
【００２９】
第１１発明の表示端末装置は、上記第１０発明において、前記第２判定手段により前記画像表示のレイアウト情報が含まれると判定された場合に、前記第２決定手段による前記テキスト表示部位と前記画像表示との連動を行う連動モードと、前記第２決定手段による前記テキスト表示部位と前記画像表示との連動を行わない非連動モードとを、切替可能なモード切替手段を有し、前記表示手段は、前記モード切替手段で前記連動モードに切り替えられている場合には、前記テキスト表示と前記画像表示とを、同一表示画面中の別領域に分けて表示し、前記モード切替手段で前記非連動モードに切り替えられている場合には、前記テキスト表示と前記画像表示とを、同一表示画面中の同一領域を共有するように表示することを特徴とする。
【００３０】
これにより、テキスト表示部位と画像表示との連動を行いつつテキスト表示と画像表示を同一表示画面中の別領域に表示する連動モードと、そのような連動を行わずテキスト表示と画像表示を同一表示画面中の同一領域を共有する従来通りの非連動モードとを、操作者の意図や用途に応じて使い分けることができる。この結果、表示端末装置の使い方のバリエーションを広げることができるので、さらに利便性を向上することができる。
【００３１】
上記目的を達成するために、第１２発明の表示処理方法は、通信機能を備えた表示端末装置が互いに対応付けられたテキスト情報及び画像情報を受信して表示するための表示処理方法であって、受信された前記テキスト情報及び前記画像情報を互いに関連付けて記憶する記憶手順と、前記記憶手順で互いに関連付けて記憶された、前記テキスト情報及び前記画像情報それぞれの情報量に基づき、前記テキスト情報に対応した全テキストのうち１つの表示画面でテキスト表示として表示されるテキスト表示部位と前記画像情報に基づく画像表示との連動態様を決定する決定手順と、前記決定手順で決定された前記連動態様により、前記テキスト表示と前記画像表示とを、同一表示画面中の別領域に分けて表示する表示手順とを有することを特徴とする。
【００３２】
本願第１２発明の表示処理方法においては、互いに対応付けられたテキスト情報及び画像情報が受信されると、記憶手順で当該テキスト情報及び画像情報が互いに関連付けられた状態で記憶される。その後、決定手順で、テキスト情報の情報量と画像情報の情報量とに基づいて、テキスト表示部位と画像表示との連動態様が決定される。そして、表示手順で、上記決定された連動態様に基づき、テキスト情報に基づくテキスト表示と、画像情報に基づく画像表示とが、同一表示画面中の別領域に分けて表示される。
【００３３】
以上のようにして、本願第１２発明では、テキスト表示と画像表示とを同一表示画面の別領域にそれぞれ表示させることにより、画像とテキストとを重ねて表示する場合に比べ、画像とテキストとを見やすい態様で同時に表示することができる。その際、操作者のスクロール操作により移動するテキスト表示部位と画像表示とが連動することにより、画面サイズが限られる場合であっても、テキストと画像とをわかりやすい関連付けで同時に表示することができる。
【００３４】
上記目的を達成するために、第１３発明の表示処理プログラムは、受信されたテキスト情報及び画像情報を互いに関連付けて記憶する記憶手順と、前記記憶手順で互いに関連付けて記憶された、前記テキスト情報及び前記画像情報それぞれの情報量に基づき、前記テキスト情報に対応した全テキストのうち１つの表示画面でテキスト表示として表示されるテキスト表示部位と前記画像情報に基づく画像表示との連動態様を決定する決定手順と、前記決定手順で決定された前記連動態様により、前記テキスト表示と前記画像表示とを、同一表示画面中の別領域に分けて表示する表示手順とを、通信機能を備えた表示処理端末に備えられた演算手段に実行させる。
【００３５】
本願第１３発明の表示処理プログラムが演算手段で実行される表示処理端末においては、互いに対応付けられたテキスト情報及び画像情報が受信されると、記憶手順で、当該テキスト情報及び画像情報が互いに関連付けられた状態で記憶される。その後、決定手順で、テキスト情報の情報量と画像情報の情報量とに基づいて、テキスト表示部位と画像表示との連動態様が決定される。そして、表示手順で、上記決定された連動態様に基づき、テキスト情報に基づくテキスト表示と、画像情報に基づく画像表示とが、同一表示画面中の別領域に分けて表示される。
【００３６】
以上のようにして、本願第１３発明では、テキスト表示と画像表示とを同一表示画面の別領域にそれぞれ表示させることにより、画像とテキストとを重ねて表示する場合に比べ、画像とテキストとを見やすい態様で同時に表示することができる。その際、操作者のスクロール操作により移動するテキスト表示部位と画像表示とが連動することにより、画面サイズが限られる場合であっても、テキストと画像とをわかりやすい関連付けで同時に表示することができる。
【発明の効果】
【００３７】
本発明によれば、画面サイズが限られる場合であっても、画像とテキストとを見やすい態様で同時に表示することができる。
【図面の簡単な説明】
【００３８】
【図１】本実施形態の表示端末装置の機能構成を表すブロック図である。
【図２】ディスプレイにおける電子メールの表示の一例を表す図である。
【図３】モード判定部により行われる制御内容を表すフローチャートである。
【図４】基本スクロール行数参照処理の詳細内容を表すフローチャートである。
【図５】基本スクロール行数の具体例を表す説明図である。
【図６】基本スクロール行数の具体例を表す説明図である。
【図７】基本描画処理の詳細内容を表すフローチャートである。
【図８】基本描画処理を行うことによる表示端末装置の表示動作を表す説明図である。
【図９】画像複数描画処理の詳細内容を表すフローチャートである。
【図１０】画像複数描画処理によるディスプレイの表示の一例を表す図である。
【図１１】画像複数描画処理を行うことによる表示端末装置の表示動作を表す説明図である。
【図１２】画像自動切替描画処理の詳細内容を表すフローチャートである。
【図１３】画像自動切替描画処理によるディスプレイの表示の一例を表す図である。
【図１４】画像自動切替描画処理を行うことによる表示端末装置の表示動作を表す説明図である。
【図１５】本文拡張描画処理の詳細内容を表すフローチャートである。
【図１６】本文拡張描画処理によるディスプレイの表示の一例を表す図である。
【図１７】レイアウト情報参照処理の詳細内容を表すフローチャートである。
【図１８】レイアウト情報参照処理を行うことによる表示端末装置の表示動作を表す説明図である。
【発明を実施するための形態】
【００３９】
以下、本発明の一実施の形態を図面を参照しつつ説明する。
【００４０】
図１を用いて、本実施形態の表示端末装置１００の機能構成を説明する。表示端末装置１００は、操作部１０１と、メール送受信部１０２と、メール記憶部１０３と、モード判定部１０４と、表示管理部１０５と、表示レイアウト記憶部１０６と、ディスプレイ１０７とを有している。なお、表示端末装置１００は、特許請求の範囲に記載の表示処理端末を構成する。
【００４１】
操作部１０１は、操作者が各種操作を行うことが可能なボタン、キー、パッド等で構成されている。操作者は、この操作部１０１を用いて、電子メールに含まれるテキスト情報に対応した全テキストのうち、ディスプレイ１０７においてテキスト表示として表示されるテキスト表示部位１（後述の図２、図８参照）をスクロール操作することが可能である。メール送受信部１０２は、テキスト情報と画像情報とを対応付けして送受信する。本実施形態では、メール本文としてのテキスト情報とこのテキスト情報に添付された画像情報とを含む電子メールを、外部のメールサーバ等と送受信する。このメール送受信部１０２は、電子メールを受信すると、テキスト情報と画像情報とを分離し、互いに関連付けてメール記憶部１０３に記憶させる。
【００４２】
メール記憶部１０３は、例えばハードディスクやＲＡＭ等で構成されている。このメール記憶部１０３は、上述したように、メール送受信部１０２により受信された電子メールに含まれるテキスト情報及び画像情報を、互いに関連付けて記憶する。モード判定部１０４は、メール記憶部１０３に互いに関連付けて記憶されたテキスト情報及び画像情報それぞれの情報量や、操作部１０１から入力された連動モードのオン・オフ指示に基づき、ディスプレイ１０７での同一表示画面中における、上記テキスト表示部位１と画像表示との連動態様を決定する（後述の図２参照）。ここで連動態様は、テキスト表示部位１と画像表示とを連動させる場合のみならず、連動しない場合も含むものであり、本実施形態では、「基本描画処理」、「画像複数描画処理」、「画像自動切替描画処理」、及び「本文拡張描画処理」の４つの態様が設定されている。これらの処理の詳細については後述する。なお、上記４つの態様以外の態様を設定してもよい。
【００４３】
表示管理部１０５は、モード判定部１０４によって決定された連動態様に応じた表示レイアウトを表示レイアウト記憶部１０６から読み出し、この読み出したレイアウトに基づき、ディスプレイ１０７での同一表示画面上における、テキスト表示が行われるテキスト領域ＴＡと画像表示が行われる画像領域ＰＡとの対応テーブルを作成し、上記テキスト表示部位１と対応付けた画像切替表示を行う。この画像切替表示の詳細については後述する。表示レイアウト記憶部１０６は、上記メール記憶部１０３と同様に、例えばハードディスクやＲＡＭ等で構成されており、予め設定されたテキスト領域ＴＡと画像領域ＰＡとの複数のレイアウトが記憶されている。
【００４４】
ディスプレイ１０７は、例えば液晶や有機ＥＬ等で構成されており、受信した電子メールに含まれるテキスト情報に基づくテキスト表示と、画像情報に基づく画像表示とを、同一表示画面中の別領域、すなわち上記テキスト領域ＴＡと画像領域ＰＡとに分けて表示することが可能である。
【００４５】
なお、上記モード判定部１０４及び表示管理部１０５は、表示端末装置１００が備えたＣＰＵ（図示せず）がＲＡＭの一時記憶機能を利用しつつＲＯＭ等に記憶された所定のプログラムに従って処理を行うことにより実行される機能として構成されるものである。これらモード判定部１０４及び表示管理部１０５は、後述の図３、図４、図７、図９、図１２、図１５等に示される表示処理方法をＣＰＵに実行させるための表示処理プログラムに従って、表示処理制御を行う。
【００４６】
また、上記では表示端末装置１００がメール送受信機能を有するようにしたが、メールの受信機能のみを有する構成としてもよい。また、上記操作部１０１、メール送受信部１０２、メール記憶部１０３、ディスプレイ１０７が、特許請求の範囲に記載の操作手段、情報送受手段、記憶手段、表示手段をそれぞれ構成する。
【００４７】
次に、図２を用いてディスプレイ１０７における電子メールの表示の一例を説明する。
【００４８】
ディスプレイ１０７には、例えばアルバムや日記帳のような本の形状を模した背景２の上に、受信した電子メールの本文であるテキストと、添付された画像とが表示される。本実施形態では、原則として１つの電子メールが１ページごとに表示される。したがって、操作者が操作部１０１を用いてページ移動操作を行った場合には、表示される電子メールが次の電子メールに切り替わる。
【００４９】
各ページにおいては、テキスト表示が行われる上記テキスト領域ＴＡと、画像表示が行われる上記画像領域ＰＡとが、同一表示画面中の別領域に分けて表示される。図２に示すように、テキスト領域ＴＡにテキストの全部が一度に表示できない場合には、スクロールバー３が表示される。操作者は、操作部１０１を用いてこのスクロールバー３を操作することにより、テキスト表示部位１をスクロール操作することができる。なお、操作部１０１を用いずに、例えばタッチペン等を用いてディスプレイ１０７上で直接スクロールバー３を操作してもよい。あるいは、テキストをクリックする等によってスクロールさせてもよい。なお、スクロールバー３は、テキスト領域ＴＡにテキストの全部を一度に表示できる場合には表示されないようになっている。
【００５０】
次に、図３を用いて上記モード判定部１０４により行われる制御内容について説明する。
【００５１】
まずステップＳ５において、モード判定部１０４は、メール送受信部１０２により受信された電子メールに含まれるテキスト情報及び画像情報を、互いに関連付けてメール記憶部１０３に記憶する。
【００５２】
次にステップＳ１０において、モード判定部１０４は、上記メール記憶部１０３に記憶した電子メールがプレーンテキストメールか否かを判定する。ここでプレーンテキストメールとは、メール本文に例えばＨＴＭＬ（ＨｙｐｅｒＴｅｘｔ  Ｍａｒｋｕｐ  Ｌａｎｇｕａｇｅ）タグのような書式・レイアウト情報が含まれていない電子メールのことである。すなわち、モード判定部１０４は、メール記憶部１０３に記憶したテキスト情報を読み出し、当該テキスト情報に書式・レイアウト情報が含まれているか否かを判定する。テキスト情報に書式・レイアウト情報が含まれていない場合には、プレーンテキストメールとみなし、判定が満たされてステップＳ１００に移る。ステップＳ１００では、メール記憶部１０３に互いに関連付けて記憶された、テキスト情報及び画像情報それぞれの情報量に基づき、同一表示画面中における、テキスト表示部位１と画像表示との連動態様を決定する基本スクロール行数参照処理を実行する。この基本スクロール行数参照処理の詳細については後述する。なお、上記情報量とはテキスト文字数や行数、画像数等のことである。その後、本フローを終了する。
【００５３】
一方、上記ステップＳ１０において、テキスト情報に書式・レイアウト情報が含まれている場合には、プレーンテキストメールでないとみなし、判定が満たされずにステップＳ２０に移る。ステップＳ２０では、モード判定部１０４は、連動モードがオンであるかオフであるかを操作部１０１から入力された指示情報に基づき判定する。ここで連動モードとは、電子メールのテキスト情報に書式・レイアウト情報が含まれている場合に、テキスト表示と画像表示とを対応付けた連動表示を行うか否かを決定するモードであり、操作者が操作部１０１を用いて設定することができる。連動モードがオンに設定されている場合には、判定が満たされてステップＳ２００に移り、レイアウト情報参照処理を実行する。このレイアウト情報参照処理の詳細については後述する。その後、本フローを終了する。
【００５４】
一方、上記ステップＳ２０において、連動モードがオフに設定されている場合には、判定が満たされずにステップＳ３００に移り、レイアウト表示処理を実行する。このレイアウト表示処理は、フローチャートについては省略するが、受信した電子メールをテキスト情報に含まれる書式・レイアウト情報に従って通常通りに表示する処理である。上記レイアウト情報参照処理においては、テキスト表示と画像表示とが同一表示画面中の別領域に分けて表示されるが、このレイアウト表示処理においては、テキスト表示と画像表示とが同一表示画面中の同一領域を共有するように、言い換えればテキスト中の所定位置に画像が挿入されるように表示される。その後、本フローを終了する。
【００５５】
なお、上記において、ステップＳ１０が、特許請求の範囲に記載の第２判定手段を構成し、ステップＳ２０が、モード切替手段を構成する。またステップＳ５は、記憶手順に相当する。
【００５６】
次に、図４を用いて基本スクロール行数参照処理の詳細内容について説明する。なお、本フローチャートは表示管理部１０５により実行される。
【００５７】
まず、ステップＳ１１０において、表示管理部１０５は、基本スクロール行数Ｘを算出する。ここで基本スクロール行数Ｘとは、受信したメールのテキスト情報に含まれるテキスト文字数の、画像情報に含まれる画像数に対する相対比であり、次式（１）で表されるものである。
【００５８】
2011154427.tif 000003
・・・（１）
【００５９】
例えば図５に示すように、受信したメールのテキスト文字数が２００文字、テキスト領域ＴＡにおける１行の文字数を１３文字、画像数を２図とした場合、基本スクロール行数Ｘは、Ｘ＝２００／（１３×２）≒８となる。
【００６０】
なお、受信したメールのテキスト情報に改行が含まれる場合には、例えば次式（２）に示すように、改行文字が入るまでの１文ごとに行数を演算し、それらの合計である総行数の、画像情報に含まれる画像数に対する相対比を基本スクロール行数Ｘとしてもよい。
【００６１】
2011154427.tif 000004
・・・（２）
【００６２】
この場合、例えば図６に示すように、受信したメールが３文よりなり、第１文〜第３文の各文のテキスト文字数がそれぞれ７０文字、３０文字、１００文字であり、且つ、テキスト領域ＴＡにおける１行の文字数を１３文字、画像数を２図とした場合、基本スクロール行数Ｘは、Ｘ＝（７０／１３＋３０／１３＋１００／１３）／２≒８となる。
【００６３】
次にステップＳ１２０では、表示管理部１０５は、上記基本スクロール行数Ｘに対する閾値の設定を行う。本実施形態では、この閾値は第１閾値、第２閾値、第３閾値の３種類から構成されている。これらの閾値は、画像数が少ない場合には小さくなり、画像数が多い場合には大きくなるといったように、予め画像数等に応じて定められており、所定の記憶領域に記憶されている。なお、閾値の種類は３種類に限定されるものではなく、さらに多数あるいは少数としてもよい。
【００６４】
ステップＳ１３０では、表示管理部１０５は、上記ステップＳ１１０で算出した基本スクロール行数Ｘが、上記ステップＳ１２０で算出した第３閾値以下であるか否かを判定する。基本スクロール行数Ｘが第３閾値以下である場合には、判定が満たされてステップＳ１４０に移る。なお、この第３閾値が、特許請求の範囲に記載の第１しきい値に相当する。
【００６５】
ステップＳ１４０では、表示管理部１０５は、テキスト文字数が画像数に対し相対的に過大でないとみなし、ディスプレイ１０７の表示画面を上下に分割してテキスト領域ＴＡと画像領域ＰＡとを上下に配置する、上下分割レイアウトを表示レイアウト記憶部１０６から読み出す。このレイアウト情報には、予め定められたテキスト領域ＴＡ及び画像領域ＰＡの大きさや位置情報が含まれている。
【００６６】
ステップＳ１５０では、表示管理部１０５は、上記ステップＳ１１０で算出した基本スクロール行数Ｘが、上記ステップＳ１２０で算出した第２閾値以上であるか否かを判定する。基本スクロール行数Ｘが第２閾値以上である場合には、判定が満たされてステップＳ４００に移り、基本描画処理を実行する。この基本描画処理は、テキスト文字数と画像数とが相対的にバランスがよい場合の描画処理であり、切り替えられた１つの表示画面の画像領域ＰＡに１つずつの画像を表示する処理である（詳細は後述）。なお、上記第２閾値が、特許請求の範囲に記載の第２しきい値に相当する。その後、本サブルーチンを終了する。一方、上記ステップＳ１５０において、基本スクロール行数Ｘが第２閾値未満である場合には、判定が満たされずにステップＳ１６０に移る。
【００６７】
ステップＳ１６０では、表示管理部１０５は、上記ステップＳ１１０で算出した基本スクロール行数Ｘが、上記ステップＳ１２０で算出した第１閾値以上であるか否かを判定する。基本スクロール行数Ｘが第１閾値以上である場合には、判定が満たされてステップＳ５００に移り、画像複数描画処理を実行する。この画像複数描画処理は、基本描画処理と比較して、画像数がテキスト文字数に比べて相対的に多い場合の描画処理であり、切り替えられた１つの表示画面の画像領域ＰＡに複数の画像を表示する処理である（詳細は後述）。なお、上記第１閾値が、特許請求の範囲に記載の第３しきい値に相当する。その後、本サブルーチンを終了する。
【００６８】
一方、上記ステップＳ１６０において、基本スクロール行数Ｘが第１閾値未満である場合には、判定が満たされずにステップＳ６００に移り、画像自動切替描画処理を実行する。この画像自動切替描画処理は、基本描画処理と比較して、テキスト文字数が画像数に比べて相対的に少ない場合の描画処理であり、テキスト表示部位１と画像表示との連動を行わず、テキスト領域ＴＡにおいて固定的なテキスト表示を行うと共に、画像領域ＰＡにおいて所定の時間間隔で画像表示を切り替えて表示する処理である（詳細は後述）。その後、本サブルーチンを終了する。
【００６９】
なお、前述のステップＳ１３０において、基本スクロール行数Ｘが第３閾値未満である場合には、判定が満たされずにステップＳ１７０に移る。
【００７０】
ステップＳ１７０では、表示管理部１０５は、テキスト文字数が画像数に対し相対的に過大であるとみなし、ディスプレイ１０７の表示画面を左右に分割してテキスト領域ＴＡと画像領域ＰＡとを左右に配置する、左右分割レイアウトを表示レイアウト記憶部１０６から読み出す。このレイアウト情報には、予め定められたテキスト領域ＴＡ及び画像領域ＰＡの大きさや位置情報が含まれている。
【００７１】
その後、ステップＳ７００に移り、本文拡張描画処理を実行する。この本文拡張描画処理は、テキスト領域ＴＡをディスプレイ１０７の表示領域において縦方向に最大まで拡張して表示する処理である（詳細は後述）。その後、本サブルーチンを終了する。
【００７２】
なお、上記では、ステップＳ１４０やステップＳ１７０において、テキスト領域ＴＡ及び画像領域ＰＡを予めレイアウト情報に含まれた大きさや位置として設定するようにしたが、これに限らず、例えば画像サイズが比較的大きい場合には画像領域ＰＡをテキスト領域ＴＡよりも相対的に大きくする等、画像サイズに応じてテキスト領域ＴＡ及び画像領域ＰＡの大きさや位置を設定してもよい。また、画像サイズが大きくそのままでは画像領域ＰＡに収まらない場合に、画像領域ＰＡを大きくするのではなく、画像領域ＰＡに収まるように画像サイズを縮小させてもよい。
【００７３】
また上記において、ステップＳ１００の処理全体は、特許請求の範囲に記載の第１決定手段を構成し、ステップＳ１３０、ステップＳ１４０及びステップＳ１７０は、領域決定手段を構成する。
【００７４】
また、上記ステップＳ１５０は、基本スクロール行数Ｘに応じて、画像領域ＰＡで表示する画像表示の切替態様を決定する。すなわち、基本スクロール行数Ｘが第２閾値以上である場合には、ステップＳ４００の基本描画処理において所定のタイミングで１つずつ画像を切り替え、基本スクロール行数Ｘが第２閾値未満である場合には、ステップＳ５００の画像複数描画処理において所定のタイミングで複数ずつ画像を切り替える。したがって、上記ステップＳ１５０、ステップＳ４００及びステップＳ５００は、特許請求の範囲に記載の切替決定手段を構成する。
【００７５】
また、ステップＳ１３０、ステップＳ１５０、及びステップＳ１６０が、決定手順に相当し、ステップＳ４００、ステップＳ５００、ステップＳ６００及びステップＳ７００が、表示手順に相当する。
【００７６】
次に、図７を用いて基本描画処理の詳細内容について説明する。なお、本フローチャートは表示管理部１０５により実行される。
【００７７】
まずステップＳ４０５では、表示管理部１０５は、テキスト情報及び画像情報に基づき、前述のステップＳ１４０で読み出した上下分割レイアウトに従って、テキスト及び画像の初期描画を行う。これにより、ディスプレイ１０７には、上下分割レイアウトに従って同一表示画面上にテキストと画像が上下方向に並列して表示される（前述の図２参照）。
【００７８】
次のステップＳ４１０では、表示管理部１０５は、操作者により操作部１０１を介してテキスト表示部位１のスクロール操作がなされたか否かを判定する。スクロール操作がされていない場合には、判定が満たされずに後述のステップＳ４６０に移る。一方、スクロール操作がされた場合には、判定が満たされてステップＳ４２０に移る。
【００７９】
ステップＳ４２０では、表示管理部１０５は、上記スクロール操作量に応じた描画行、すなわち、スクロール操作によってテキスト領域ＴＡでテキスト表示されることになるテキストの行数を算出する。言い換えれば、テキスト表示部位１に対応する行数を算出する。例えば、スクロール操作によりテキスト領域ＴＡに全テキストの行数のうち４行目から８行目が表示される場合には、描画行は４〜８行となる。
【００８０】
ステップＳ４３０では、表示管理部１０５は、上記ステップＳ４２０で算出した描画行が、前述のステップＳ１１０で算出した基本スクロール行数Ｘの自然数倍より大きいか否かを判定する。より詳細には、描画行の最下行に相当する行数が、基本スクロール行数Ｘの自然数倍より大きいか否かを判定する。例えば、基本スクロール行数Ｘが１０である場合に、スクロール操作によりテキスト領域ＴＡに６行目から１０行目が表示されるようになった場合には、最下行に相当する行数１０が１０以下であるため、判定が満たされずに後述のステップＳ４５０に移る。一方、例えばスクロール操作によりテキスト領域ＴＡに７行目から１１行目が表示されるようになった場合には、最下行に相当する行数１１が基本スクロール行数１０の１倍より大きくなるため、判定が満たされてステップＳ４４０に移る。なお、ここではテキスト領域ＴＡの最下行の行数を基準として判定を行うようにしたが、これに限らず、テキスト領域ＴＡの最上行の行数を基準としてもよいし、テキスト領域ＴＡの中間に位置する行を基準としてもよい。
【００８１】
ステップＳ４４０では、表示管理部１０５は、画像領域ＰＡで表示する画像を、上記ステップＳ４０５で初期描画している画像から次の画像に切り替える。
【００８２】
ステップＳ４５０では、表示管理部１０５は、テキスト情報及び画像情報に基づき、上記ステップＳ４２０で算出した描画行、及び上記ステップＳ４４０で切り替えた画像に対応するように、テキスト及び画像の再描画を行う。これにより、ディスプレイ１０７には同一表示画面上にスクロール操作後のテキストと切り替えられた画像が表示される。なお、上記ステップＳ４３０の判定が満たされずに画像の切り替えが行われなかった場合には、ディスプレイ１０７にはスクロール操作後のテキストと切り替えられていない元の画像が表示される。
【００８３】
ステップＳ４６０では、表示管理部１０５は、操作者により操作部１０１を介してページ移動操作がなされたか否かを判定する。ページ移動操作がされていない場合には、判定が満たされずに先のステップＳ４１０に戻る。一方、ページ移動操作がされている場合には、判定が満たされて本サブルーチンを終了する。
【００８４】
次に、図８を用いて上述した基本描画処理を行うことによる表示端末装置１００の表示動作について説明する。この図８に示す例では、受信したメールのテキスト文字数が３８５文字、テキスト領域ＴＡにおける１行の文字数が１３文字、画像数が３図となっている。したがって、基本スクロール行数Ｘは、Ｘ＝３８５／（１３×３）≒１０となる。また、テキスト表示部位１は全テキストのうち５行により構成される。
【００８５】
前述のステップＳ４０５において、テキスト、画像の初期描画処理が行われると、図８のテキスト表示部位１Ａに示すように、テキスト領域ＴＡにおいてテキストの最初の５行部分が表示されると共に、画像領域ＰＡにおいて画像Ｐ１が表示される。この状態でスクロール操作及びページ移動操作がされなければ、ステップＳ４１０及びステップＳ４６０の判定が満たされないため、ステップＳ４１０及びステップＳ４６０を繰り返すこととなり、テキスト表示部位１Ａと画像Ｐ１が表示された状態が継続される。
【００８６】
次に、操作者によりスクロール操作がなされると、ステップＳ４１０の判定が満たされ、ステップＳ４２０にてテキストの描画行が算出される。これにより、テキスト表示部位１が移動する。このとき、テキスト表示部位１の最下行が６〜１０行目である場合には、最下行に相当する行数が基本スクロール行数Ｘの１倍以下であるため、判定が満たされずにステップＳ４５０に移る。これにより、ディスプレイ１０７にはスクロール操作後のテキスト表示部位１と、初期描画のままの画像Ｐ１が表示される。
【００８７】
一方、図８のテキスト表示部位１Ｂに示すように、スクロール操作によりテキスト表示部位１の最下行が１１行目となった場合には、最下行に相当する行数１１が基本スクロール行数１０の１倍より大きくなるため、ステップＳ４３０の判定が満たされてステップＳ４４０に移る。これにより、画像Ｐ１が画像Ｐ２に切り替えられ、ステップＳ４５０において、ディスプレイ１０７にはスクロール操作後のテキスト表示部位１Ｂと画像Ｐ２が表示される。
【００８８】
同様に、その後のスクロール操作により、テキスト表示部位１の最下行が１２〜２０行目である場合には、最下行に相当する行数が基本スクロール行数Ｘの２倍以下であるため、ステップＳ４３０の判定が満たされず、ディスプレイ１０７にはスクロール操作後のテキスト表示部位１と、画像Ｐ２が表示される。そして、図８のテキスト表示部位１Ｃに示すように、テキスト表示部位１の最下行が２１行目となった場合には、最下行に相当する行数２１が基本スクロール行数１０の２倍より大きくなるため、画像Ｐ２が画像Ｐ３に切り替えられ、ディスプレイ１０７にはスクロール操作後のテキスト表示部位１Ｃと画像Ｐ３が表示される。
【００８９】
その後は、図８のテキスト表示部位１Ｄに示すように、スクロール操作によりテキスト表示部位１の最下行が全テキストの最終行である３０行目に到るまで、最下行に相当する行数が基本スクロール行数Ｘの３倍以下であるため、ステップＳ４３０の判定が満たされず、ディスプレイ１０７にはスクロール操作後のテキスト表示部位１と、画像Ｐ３が表示される。なお、この例では３１行目は存在しないが、例えばテキスト文字数が４００文字であるような場合には、基本スクロール行数Ｘは、Ｘ＝４００／（１３×３）≒１０となり、且つ、３１行目が存在することになる。このような場合には、テキスト表示部位１の最下行が３１行目となり行数３１が基本スクロール行数１０の３倍より大きくなるが、画像が存在しないため、切り替えを行わないようにすればよい。
【００９０】
以上のように、操作者のスクロール操作により移動するテキスト表示部位１と画像表示とが連動することにより、画面サイズが限られる場合であっても、テキストと画像とをわかりやすい関連付けで同時に表示することができる。
【００９１】
次に、図９を用いて画像複数描画処理の詳細内容について説明する。なお、本フローチャートは表示管理部１０５により実行される。
【００９２】
まずステップＳ５０５では、表示管理部１０５は、テキスト情報及び画像情報に基づき、前述のステップＳ１４０で読み出した上下分割レイアウトに従って、テキスト及び複数（ここではｎ枚とする）の画像の初期描画を行う。これにより、ディスプレイ１０７には、上下分割レイアウトに従って同一表示画面上にテキストとｎ枚の画像が上下方向に並列して表示される。なお、本画像複数描画処理において、画像領域ＰＡで一度に表示される画像数ｎは、電子メールに添付された全画像数に応じて予め設定されている。図１０に、画像数ｎ＝２である場合のディスプレイ１０７の表示の一例を示す。なおこのとき、例えば画像サイズの大小に応じて一方の画像領域ＰＡ１を他方の画像領ＰＡ２よりも相対的に大きく又は小さくレイアウトしてもよい。
【００９３】
次のステップＳ５１０及びステップＳ５２０は、前述の基本描画処理におけるステップＳ４１０及びステップＳ４２０と同様であり、表示管理部１０５はスクロール操作がなされたか否かを判定し、スクロール操作がされた場合にはスクロール操作量に応じた描画行を算出する。
【００９４】
ステップＳ５３０では、表示管理部１０５は、上記ステップＳ５２０で算出した描画行の最下行に相当する行数が、前述のステップＳ１１０で算出した基本スクロール行数Ｘにｎを乗じたものの自然数倍より大きいか否かを判定する。例えば、２枚の画像ずつ表示を行う場合（ｎ＝２）において、基本スクロール行数Ｘが５の場合、スクロール操作によりテキスト領域ＴＡに６行目から１０行目が表示されるようになった場合には、最下行に相当する行数１０が基本スクロール行数５×２の１倍以下であるため、判定が満たされずに後述のステップＳ５５０に移る。一方、例えばスクロール操作によりテキスト領域ＴＡに７行目から１１行目が表示されるようになった場合には、最下行に相当する行数１１が基本スクロール行数５×２の１倍より大きくなるため、判定が満たされてステップＳ５４０に移る。
【００９５】
ステップＳ５４０では、表示管理部１０５は、画像領域ＰＡで表示する画像を、上記ステップＳ５０５で初期描画しているｎ枚の画像から次のｎ枚の画像に切り替える。なお、電子メールに添付された全画像数がｎで割れないような場合、例えば全画像数が奇数でｎ＝２であるような場合には、最後はｎ枚でなく残数枚分の画像に切り替えられる。
【００９６】
ステップＳ５５０は、前述の基本描画処理におけるステップＳ４５０と同様であり、表示管理部１０５は、テキスト情報及び画像情報に基づき、上記ステップＳ５２０で算出した描画行、及び上記ステップＳ５４０で切り替えたｎ枚の画像に対応するように、テキスト及び画像の再描画を行う。これにより、ディスプレイ１０７には同一表示画面上にスクロール操作後のテキストと切り替えられたｎ枚の画像が表示される。なお、上記ステップＳ５３０の判定が満たされずに画像の切り替えが行われなかった場合には、ディスプレイ１０７にはスクロール操作後のテキストと切り替えられていない元のｎ枚の画像が表示される。
【００９７】
ステップＳ５６０は、前述の基本描画処理におけるステップＳ４６０と同様であり、表示管理部１０５は、操作者により操作部１０１を介してページ移動操作がなされたか否かを判定する。ページ移動操作がされていない場合には、判定が満たされずに先のステップＳ５１０に戻る。一方、ページ移動操作がされている場合には、判定が満たされて本サブルーチンを終了する。
【００９８】
次に、図１１を用いて上述した画像複数描画処理を行うことによる表示端末装置１００の表示動作について説明する。この図１１に示す例では、受信したメールのテキスト文字数が３８５文字、テキスト領域ＴＡにおける１行の文字数が１３文字、画像数が６図となっている。したがって、基本スクロール行数Ｘは、Ｘ＝３８５／（１３×６）≒５となる。また、画像領域ＰＡで一度に表示される画像数ｎ＝２に設定されている。
【００９９】
前述のステップＳ５０５において、テキスト、画像の初期描画処理が行われると、図１１のテキスト表示部位１Ａに示すように、テキスト領域ＴＡにおいてテキストの最初の５行部分が表示されると共に、画像領域ＰＡにおいて２枚の画像Ｐ１，Ｐ２が表示される。次に、操作者によりスクロール操作がなされると、ステップＳ５１０の判定が満たされ、ステップＳ５２０にてテキストの描画行が算出され、テキスト表示部位１が移動する。これにより、図１１のテキスト表示部位１Ｂに示すように、テキスト表示部位１の最下行が１１行目となった場合には、最下行に相当する行数１１が基本スクロール行数５の２倍より大きくなるため、ステップＳ５３０の判定が満たされてステップＳ５４０に移る。これにより、画像Ｐ１，Ｐ２が画像Ｐ３，Ｐ４に切り替えられ、ステップＳ５５０において、ディスプレイ１０７にはスクロール操作後のテキスト表示部位１Ｂと画像Ｐ３，Ｐ４が表示される。
【０１００】
同様に、その後のスクロール操作により、図１１のテキスト表示部位１Ｃに示すように、テキスト表示部位１の最下行が２１行目となった場合には、最下行に相当する行数２１が基本スクロール行数５の４倍より大きくなるため、画像Ｐ３，Ｐ４が画像Ｐ５，Ｐ６に切り替えられ、ディスプレイ１０７にはスクロール操作後のテキスト表示部位１Ｃと画像Ｐ５，Ｐ６が表示される。その後は、図１１のテキスト表示部位１Ｄに示すように、スクロール操作によりテキスト表示部位１の最下行が全テキストの最終行である３０行目に到るまで、最下行に相当する行数は基本スクロール行数Ｘの６倍以下であるため、ステップＳ５３０の判定が満たされず、ディスプレイ１０７にはスクロール操作後のテキスト表示部位１と、画像Ｐ５，Ｐ６が表示される。
【０１０１】
次に、図１２を用いて画像自動切替描画処理の詳細内容について説明する。なお、本フローチャートは表示管理部１０５により実行される。
【０１０２】
まずステップＳ６０５では、表示管理部１０５は、テキスト情報及び画像情報に基づき、前述のステップＳ１４０で読み出した上下分割レイアウトに従って、テキスト及び画像の初期描画を行う。これにより、ディスプレイ１０７には、上下分割レイアウトに従って同一表示画面上にテキストとｎ枚の画像が上下方向に並列して表示される。なお、前述したように、本画像自動切替描画処理はテキスト文字数が画像数に比べて相対的に少ない場合の描画処理であるため、図１３に示すように、テキスト領域ＴＡにテキストの全部を一度に表示できることから、前述のスクロールバー３は表示されないようになっている。
【０１０３】
次のステップＳ６１０では、表示管理部１０５は、本画像自動切替描画処理を開始してからの経過時間が、予め定められた規定時間に達したか否かを判定する。この規定時間は、例えば電子メールに添付された画像数が多い場合には比較的短く、画像数が少ない場合には比較的長くなるように、画像数に応じて設定されている。経過時間が規定時間に達していない場合には、判定が満たされずに後述のステップＳ６４０に移る。一方、経過時間が規定時間に達した場合には、判定が満たされてステップＳ６２０に移る。
【０１０４】
ステップＳ６２０では、表示管理部１０５は、画像領域ＰＡで表示する画像を、上記ステップＳ６０５で初期描画している画像から次の画像に切り替える。なお、最後の画像まで描画が終了した場合には最初の画像に戻る。
【０１０５】
ステップＳ６３０では、表示管理部１０５は、上記ステップＳ６２０で切り替えた画像に対応するように画像の再描画を行う。これにより、ディスプレイ１０７には初期描画と同じ内容であるテキストと切り替えられた画像が表示される。
【０１０６】
ステップＳ６４０は、前述の基本描画処理におけるステップＳ４６０と同様であり、表示管理部１０５は、操作者により操作部１０１を介してページ移動操作がなされたか否かを判定する。ページ移動操作がされていない場合には、判定が満たされずに先のステップＳ６１０に戻る。一方、ページ移動操作がされている場合には、判定が満たされて本サブルーチンを終了する。
【０１０７】
次に、図１４を用いて上述した画像自動切替描画処理を行うことによる表示端末装置１００の表示動作について説明する。この図１４に示す例では、上記規定時間がＴに設定されている。
【０１０８】
前述のステップＳ６０５において、テキスト、画像の初期描画処理が行われると、前述の図１３に示すように、テキスト領域ＴＡにおいてテキスト情報に含まれる全テキストが表示されると共に、画像領域ＰＡにおいて画像Ｐ１が表示される。この状態で、経過時間が規定時間Ｔに達するまでは、ページ移動操作がされなければ、ステップＳ６１０の判定が満たされないため、ステップＳ６１０及びステップＳ６４０を繰り返すこととなり、全テキストと画像Ｐ１が表示された状態が継続される。
【０１０９】
次に、経過時間が規定時間Ｔに達すると、ステップＳ６１０の判定が満たされ、ステップＳ６２０にて、画像Ｐ１が画像Ｐ２に切り替えられ、ステップＳ６３０において、ディスプレイ１０７にはテキストと画像Ｐ２が表示される。その後、規定時間Ｔが経過すると、画像Ｐ２が画像Ｐ３に切り替えられて、ディスプレイ１０７にはテキストと画像Ｐ３が表示される。その後、さらに規定時間Ｔが経過すると、画像Ｐ３は再び画像Ｐ１に切り替えられて、同様の手順が繰り返される。本画像自動切替描画処理では、操作者によるページ移動操作が行われるまで、このような一定時間おきの画像の切り替えが行われる。
【０１１０】
なお、上記では画像が１枚ずつ切り替わる場合を例示したが、画像数が多い場合には複数枚ずつ切り替わるようにしてもよい。また、一定時間経過するごとに画像を切り替えるのではなく、例えば画像をクリックする等、操作者の操作部１０１による操作により切り替えるようにしてもよい。
【０１１１】
次に、図１５を用いて本文拡張描画処理の詳細内容について説明する。なお、本フローチャートは表示管理部１０５により実行される。
【０１１２】
まずステップＳ７０５では、表示管理部１０５は、テキスト情報及び画像情報に基づき、前述のステップＳ１７０で読み出した左右分割レイアウトに従って、テキスト及び複数（ここではｎ枚とする）の画像の初期描画を行う。これにより、ディスプレイ１０７には、一方側のページにテキスト領域ＴＡがディスプレイ１０７の表示領域において縦方向に最大まで拡張して表示され、他方側のページにはｎ枚の画像が表示される。なお、本処理において、画像領域ＰＡで一度に表示される画像数ｎは、電子メールに添付された全画像数に応じて予め設定されている。図１６に、画像数ｎ＝２である場合のディスプレイ１０７の表示の一例を示す。この例では、左側のページにテキスト領域ＴＡが縦方向に拡張して表示され、右側のページに２つの画像領域ＰＡ１，ＰＡ２が表示されている。
【０１１３】
その後のステップＳ７１０〜ステップＳ７６０は、前述の図９に示す画像複数描画処理のステップＳ５１０〜ステップＳ５６０と同様であるので、説明を省略する。また、本文拡張描画処理を行うことによる表示端末装置１００の表示動作についても、前述の図１１と同様であるので説明を省略する。
【０１１４】
次に、図１７を用いてレイアウト情報参照処理の詳細内容について説明する。なお、本フローチャートは表示管理部１０５により実行される。
【０１１５】
まずステップＳ２０５では、表示管理部１０５は、受信した電子メールのテキスト情報に含まれる書式・レイアウト情報に、画像配置に関する情報が含まれているか否かを判定する。画像配置に関する情報が含まれている場合には、判定が満たされてステップＳ２１０に移る。
【０１１６】
ステップＳ２１０では、表示管理部１０５は、テキスト中の画像表示行を画像描画位置として適宜の記憶手段（例えばメール記憶部１０３）に記憶する。この画像描画位置は、例えば「４行目と５行目の間」という情報である。またこのとき、テキスト情報から書式・レイアウト情報を削除してプレーンテキスト情報として適宜の記憶手段（例えばメール記憶部１０３）に記憶する。
【０１１７】
ステップＳ２２０では、表示管理部１０５は、テキスト情報及び画像情報に基づき、テキスト及び画像の初期描画を行う。これにより、ディスプレイ１０７には、上下分割レイアウトに従って同一表示画面上にテキストと画像が上下方向に並列して表示される（前述の図２参照）。なおこのとき、初期描画の描画行に上記ステップＳ２１０で記憶した画像描画位置が含まれていない場合には、画像の描画は行わずにテキストの描画のみを行う。
【０１１８】
次のステップ２３０では、表示管理部１０５は、操作者により操作部１０１を介してテキスト表示部位１のスクロール操作がなされたか否かを判定する。スクロール操作がされていない場合には、判定が満たされずに後述のステップＳ２８０に移る。一方、スクロール操作がされた場合には、判定が満たされてステップＳ２４０に移る。
【０１１９】
ステップＳ２４０では、表示管理部１０５は、上記スクロール操作量に応じた描画行を算出する。
【０１２０】
ステップＳ２５０では、表示管理部１０５は、上記ステップＳ２４０で算出した描画行が、前述のステップＳ２１０で算出した画像描画位置を含むか否かを判定する。例えば、画像描画位置が１０行目と１１行目の間である場合に、スクロール操作によりテキスト領域ＴＡに６行目から１０行目が表示されるようになった場合には、画像描画位置が含まれないため、判定が満たされずに後述のステップＳ２７０に移る。一方、例えばスクロール操作によりテキスト領域ＴＡに７行目から１１行目が表示されるようになった場合には、画像描画位置が含まれるため、判定が満たされてステップＳ２６０に移る。
【０１２１】
ステップＳ２６０では、表示管理部１０５は、画像領域ＰＡで表示する画像を、上記ステップＳ２２０で初期描画している画像から次の画像に切り替える。
【０１２２】
ステップＳ２７０では、表示管理部１０５は、テキスト情報及び画像情報に基づき、上記ステップＳ２４０で算出した描画行、及び上記ステップＳ２６０で切り替えた画像に対応するように、テキスト及び画像の再描画を行う。これにより、ディスプレイ１０７には同一表示画面上にスクロール操作後のテキストと切り替えられた画像が表示される。なお、上記ステップＳ２５０の判定が満たされずに画像の切り替えが行われなかった場合には、ディスプレイ１０７にはスクロール操作後のテキストと切り替えられていない元の画像が表示される。
【０１２３】
ステップＳ２８０では、表示管理部１０５は、操作者により操作部１０１を介してページ移動操作がなされたか否かを判定する。ページ移動操作がされていない場合には、判定が満たされずに先のステップＳ２３０に戻る。一方、ページ移動操作がされている場合には、判定が満たされて本サブルーチンを終了する。
【０１２４】
なお、上述したステップＳ２０５において、書式・レイアウト情報に画像配置に関する情報が含まれていない場合には、判定が満たされずにステップＳ２９０に移る。ステップＳ２９０では、表示管理部１０５は、受信した電子メールのテキスト情報を書式・レイアウト情報に従って通常通りに表示する。その後、本サブルーチンを終了する。
【０１２５】
なお、上記において、ステップＳ２００の処理全体は、特許請求の範囲に記載の第２決定手段を構成する。
【０１２６】
次に、図１８を用いて上述したレイアウト情報参照処理を行うことによる表示端末装置１００の表示動作について説明する。この図１８に示す例では、受信したメールのテキストに３つの画像情報が配置されており、画像Ｐ１，Ｐ２，Ｐ３の画像描画位置はそれぞれ１０行目と１１行目の間、１９行目と２０行目の間、２６行目と２７行目の間となっている。
【０１２７】
この例では、画像が配置されているためステップＳ２０５の判定が満たされ、ステップＳ２１０において、上記画像Ｐ１，Ｐ２，Ｐ３の画像描画位置がそれぞれ記憶される。そして、ステップＳ２２０において、テキスト、画像の初期描画処理が行われると、図１８のテキスト表示部位１Ａに示すように、テキスト領域ＴＡにおいてテキストの最初の５行部分が表示される。このとき、最初の５行部部分に画像Ｐ１の画像描画位置が含まれないため、画像領域ＰＡでの画像Ｐ１の表示は行われない。この状態でスクロール操作及びページ移動操作がされなければ、ステップＳ２３０及びステップＳ２８０の判定が満たされないため、ステップＳ２３０及びステップＳ２８０を繰り返すこととなり、テキスト表示部位１Ａが表示された状態が継続される。
【０１２８】
次に、操作者によりスクロール操作がなされると、ステップＳ２３０の判定が満たされ、ステップＳ２４０にてテキストの描画行が算出される。これにより、テキスト表示部位１が移動する。このとき、テキスト表示部位１の最下行が６〜１０行目である場合には、描画行がステップＳ２１０で記憶した画像Ｐ１の画像描画位置を含まないため、判定が満たされずにステップＳ２７０に移る。これにより、ディスプレイ１０７にはスクロール操作後のテキスト表示部位１のみが表示される。
【０１２９】
一方、図１８のテキスト表示部位１Ｂに示すように、スクロール操作によりテキスト表示部位１の最下行が１１行目となった場合には、描画行がステップＳ２１０で記憶した画像Ｐ１の画像描画位置を含むことになるため、ステップＳ２５０の判定が満たされてステップＳ２６０に移る。これにより、画像Ｐ１に切り替えられ、ステップＳ２７０において、ディスプレイ１０７にはスクロール操作後のテキスト表示部位１Ｂと画像Ｐ１が表示される。
【０１３０】
同様に、その後のスクロール操作により、テキスト表示部位１の最下行が１２〜１９行目である場合には、描画行がステップＳ２１０で記憶した画像Ｐ２の画像描画位置を含まないため、ステップＳ２５０の判定が満たされず、ディスプレイ１０７にはスクロール操作後のテキスト表示部位１と、画像Ｐ１が表示される。そして、図１８のテキスト表示部位１Ｃに示すように、テキスト表示部位１の最下行が２０行目となった場合には、描画行がステップＳ２１０で記憶した画像Ｐ２の画像描画位置を含むことになるため、画像Ｐ１が画像Ｐ２に切り替えられ、ディスプレイ１０７にはスクロール操作後のテキスト表示部位１Ｃと画像Ｐ２が表示される。
【０１３１】
その後も同様にして、図１８のテキスト表示部位１Ｄに示すように、テキスト表示部位１の最下行が２７行目となった場合には、描画行がステップＳ２１０で記憶した画像Ｐ３の画像描画位置を含むことになるため、画像Ｐ２が画像Ｐ３に切り替えられ、ディスプレイ１０７にはスクロール操作後のテキスト表示部位１Ｃと画像Ｐ３が表示される。この後は、スクロール操作によりテキスト表示部位１の最下行が全テキストの最終行である３０行目に到るまで、ディスプレイ１０７にはスクロール操作後のテキスト表示部位１と、画像Ｐ３が表示される。
【０１３２】
以上説明した本実施形態の表示端末装置１００においては、メール送受信部１０２により電子メールが受信されると、当該電子メールに含まれるテキスト情報及び画像情報が互いに関連付けられた状態でメール記憶部１０３に記憶される。このとき、表示管理部１０５によって実行される基本スクロール行数参照処理において、各メールに含まれるテキスト情報の情報量と画像情報の情報量とに基づいて、テキスト表示部位１と画像表示との連動態様が決定される。そして、ディスプレイ１０７において、上記決定された連動態様に基づき、テキスト情報に基づくテキスト表示と、画像情報に基づく画像表示とが、同一表示画面中の別領域に分けて表示される。
【０１３３】
以上のようにして、テキスト表示と画像表示とを同一表示画面の別領域にそれぞれ表示させることにより、画像とテキストとを重ねて表示する場合に比べ、画像とテキストとを見やすい態様で同時に表示することができる。その際、操作者のスクロール操作により移動するテキスト表示部位１と画像表示とが連動可能であることにより、ディスプレイ１０７の画面サイズが限られる場合であっても、テキストと画像とをわかりやすい関連付けで同時に表示することができる。
【０１３４】
また、本実施形態では特に、表示管理部１０５によって実行される基本スクロール行数参照処理において、メール記憶部１０３に互いに関連付けて記憶されたテキスト情報及び画像情報それぞれの情報量に基づき、ディスプレイ１０７での同一表示画面中における、テキスト領域ＴＡと画像領域ＰＡとを各電子メールごとに決定する。これにより、テキスト情報の情報量が多い場合には、より広いテキスト領域ＴＡで表示可能である。
【０１３５】
また、本実施形態では特に、表示管理部１０５によって実行される基本スクロール行数参照処理において、テキスト情報に含まれるテキスト文字数又は行数の画像情報に含まれる画像数に対する相対比である基本スクロール行数Ｘ、及び画像サイズのうち、少なくとも基本スクロール行数Ｘに応じて、テキスト領域ＴＡ及び画像領域ＰＡの大きさと位置を決定する。これにより、テキストの文字数や行数が比較的多い場合に、より広いテキスト領域ＴＡで表示させることができる。また、画像サイズに応じ、例えば画像サイズが比較的大きい場合にはより広い画像領域ＰＡで表示させることもできる。
【０１３６】
また、本実施形態では特に、表示管理部１０５によって実行される基本スクロール行数参照処理において、基本スクロール行数Ｘに関して予め定められた第３閾値に基づき、基本スクロール行数Ｘが第３閾値より大きい場合における１つの表示画面におけるテキスト領域ＴＡの大きさが、基本スクロール行数が第３閾値以下である場合における１つの表示画面におけるテキスト領域ＴＡの大きさよりも拡大されるように、テキスト領域ＴＡ及び画像領域ＰＡを決定する。これにより、第３閾値を基準にして、テキストの文字数や行数が比較的多い場合には、それ以外の場合よりもテキスト領域ＴＡを拡大して表示することができる。この結果、テキストや画像の視認性を向上できると共に、テキスト全部を見るのに必要な操作者のスクロール回数を低減し操作性を向上することもできる。
【０１３７】
また、本実施形態では特に、表示管理部１０５によって実行される基本スクロール行数参照処理において、操作部１０１からのスクロール操作によりテキスト領域ＴＡに表示されるテキスト表示部位１に対応付けて、画像領域ＰＡで表示する画像表示の切替態様を決定する。これにより、操作者のスクロール操作によりテキスト表示部位１が移動するのに連動して、画像表示が順次切り替えられる。この結果、画面サイズが限られる場合であっても、テキストと画像とをわかりやすい関連付けで同時に表示することができる。
【０１３８】
また、本実施形態では特に、表示管理部１０５によって実行される基本スクロール行数参照処理において、テキスト情報に含まれるテキスト文字数又は行数の、画像情報に含まれる画像数に対する相対比である基本スクロール行数Ｘに応じて、画像領域ＰＡで表示する画像表示の切替態様を決定する。これにより、画像数に対してテキスト文字や行の量が相対的に多い場合には、スクロール操作で切り替えられる１つの画像領域ＰＡに表示する画像数を少なくすることができる。画像数に対してテキスト文字や行の量が相対的に少ない場合には、スクロール操作で切り替えられる１つの画像領域ＰＡに表示する画像数を多くすることができる。この結果、いずれの場合でも、テキストと画像とを確実にわかりやすい関連付けで同時に表示することができる。
【０１３９】
また、本実施形態では特に、表示管理部１０５によって実行される基本スクロール行数参照処理において、基本スクロール行数Ｘに関して予め定められた第２閾値に基づき、基本スクロール行数Ｘが第２閾値より小さい場合には、画像複数描画処理において切り替えられた１つの表示画面の画像領域ＰＡに複数の画像を表示し、基本スクロール行数Ｘが第２閾値以上である場合には、基本描画処理において切り替えられた１つの表示画面の画像領域ＰＡに１つの画像を表示するように、切替態様を決定する。これにより、第２閾値を基準にして、テキスト文字や文章の量が相対的に多い場合には、スクロール操作で切り替えられる１つの画像領域ＰＡに１つの画像のみを表示する。逆に、第２閾値を基準にして、テキスト文字や文章の量が相対的に少ない場合には、スクロール操作で切り替えられる１つの画像領域ＰＡに複数の画像を表示することができる。この結果、いずれの場合でも、テキストと画像とを確実にわかりやすい関連付けで同時に表示することができる。
【０１４０】
また、本実施形態では特に、表示管理部１０５によって実行される基本スクロール行数参照処理において、基本スクロール行数Ｘに関して予め定められた第１閾値に基づき、基本スクロール行数Ｘが第１閾値より小さい場合には、画像自動切替描画処理において、テキスト表示部位１と画像表示との連動を行わず、テキスト領域ＴＡにおいて固定的なテキスト表示を行うと共に、画像領域ＰＡにおいて所定の時間間隔で画像表示を切り替えるようにする。この結果、メールの文章が短い場合であっても、どの画像表示に対しても必ずテキスト表示が同時に実行されるので、操作者はどの画像を見るときでも常にメールの文章を参照することができる。
【０１４１】
また、本実施形態では特に、受信された電子メールに画像表示の書式・レイアウト情報が含まれるかどうかを判定し、書式・レイアウト情報が含まれる場合には、レイアウト情報参照処理において画像表示の切り替え態様を決定し、書式・レイアウト情報が含まれていない場合には、基本スクロール行数参照処理においてテキスト表示部位１と画像表示との連動態様を決定する。これにより、既存のメールのデータ形式においてメールの文章内容に対応付ける形で画像表示位置が指定されている場合に、その対応付けに準じるタイミングで、文章と画像とをわかりやすく同時に表示することができる。
【０１４２】
また、本実施形態では特に、受信された電子メールに書式・レイアウト情報が含まれる場合に、テキスト表示部位１と画像表示との連動を行う連動モードと、テキスト表示部位１と画像表示との連動を行わない非連動モードとを切替可能であり、連動モードに切り替えられている場合には、テキスト表示と画像表示とを同一表示画面中の別領域に分けて表示し、非連動モードに切り替えられている場合には、テキスト表示と画像表示とを、同一表示画面中の同一領域を共有するように表示する。これにより、テキスト表示部位１と画像表示との連動を行いつつテキスト表示と画像表示を同一表示画面中の別領域に表示する連動モードと、そのような連動を行わずテキスト表示と画像表示を同一表示画面中の同一領域を共有する従来通りの非連動モードとを、操作者の意図や用途に応じて使い分けることができる。この結果、表示端末装置１００の使い方のバリエーションを広げることができるので、さらに利便性を向上することができる。
【０１４３】
なお、本発明は、上記実施形態に限られるものではなく、その趣旨及び技術的思想を逸脱しない範囲内で種々の変形が可能である。
【０１４４】
例えば、電子メールに含まれるテキスト情報に、画像情報のファイル名が含まれるかどうかを判定するようにしてもよい。この場合、ファイル名が含まれていると判定した場合には、操作者のスクロール操作によりテキスト表示部位１がテキスト情報においてファイル名が含まれていた位置に到達したときに、画像領域ＰＡで表示する画像表示を切り替えるように切替態様を決定すればよい。
【０１４５】
これにより、メールの文章内でファイル名を記載して画像を引用している場合に、文章のその引用部分と引用された当該画像とを、わかりやすく関連付けて同時に表示することができる。
【０１４６】
なお、本変形例において、テキスト情報に画像情報のファイル名が含まれるかどうかを判定する手段が、特許請求の範囲に記載の第１判定手段を構成する。
【０１４７】
また以上では、テキスト情報と画像情報とが対応付けられたものとして、画像が添付された電子メールを一例として説明したが、これに限らず、例えばコメント付きの写真や、本文と図からなる文献等を表示する場合にも、本発明は適用可能である。
【０１４８】
なお、以上において、図１に示す矢印は信号の流れの一例を示すものであり、信号の流れ方向を限定するものではない。また、図３、図４等に示すフローチャートは本発明を上記フローに示す手順に限定するものではなく、発明の趣旨及び技術的思想を逸脱しない範囲内で手順の追加・削除又は順番の変更等をしてもよい。
【０１４９】
また、以上既に述べた以外にも、上記実施形態や各変形例による手法を適宜組み合わせて利用しても良い。
【０１５０】
その他、一々例示はしないが、本発明は、その趣旨を逸脱しない範囲内において、種々の変更が加えられて実施されるものである。
【符号の説明】
【０１５１】
１                テキスト表示部位
１００            表示端末装置（表示処理端末）
１０１            操作部（操作手段）
１０２            メール送受信部（情報送受手段）
１０３            メール記憶部（記憶手段）
１０７            ディスプレイ（表示手段）
ＰＡ              画像領域
ＴＡ              テキスト領域
【図１】
2011154427.tif 000005
【図２】
2011154427.tif 000006
【図３】
2011154427.tif 000007
【図４】
2011154427.tif 000008
【図５】
2011154427.tif 000009
【図６】
2011154427.tif 000010
【図７】
2011154427.tif 000011
【図８】
2011154427.tif 000012
【図９】
2011154427.tif 000013
【図１０】
2011154427.tif 000014
【図１１】
2011154427.tif 000015
【図１２】
2011154427.tif 000016
【図１３】
2011154427.tif 000017
【図１４】
2011154427.tif 000018
【図１５】
2011154427.tif 000019
【図１６】
2011154427.tif 000020
【図１７】
2011154427.tif 000021
【図１８】
2011154427.tif 000022